(57)【要約】【課題】コストを抑えつつ、木材で建設される建築物をシロアリの食害から守ることができる建築物の基礎構造を提供する。【解決手段】建築物の基礎構造において、コンクリート打設され地面から建築物を支える基礎部１０と、この基礎部１０により外周が閉じられた内側領域１２にその外側のグランドレベルＧよりも高いレベルで盛土された支持層１５と、この支持層１５よりも上層に設けられ内側領域１２の周縁部が基礎部１０に向かって下り傾斜するように砂利を敷き詰めた砂利層１６と、この砂利層１６の上面を覆うように敷き詰められたシート１８と、基礎部１０の天端に内側領域１２の外周を閉じるように配置された土台部２１と、シート１８を敷き詰めた砂利層１６の上面から土台部２１の上端レベルまで打設されたコンクリート層３５と、を備え、土台部２１は材質としてヒノキ又はヒバが用いられている。【選択図】  図２
0003214494.tif 000002
【実用新案登録請求の範囲】
【請求項１】
コンクリート打設され、地面から建築物を支える基礎部と、
前記基礎部により外周が閉じられた内側領域に、その外側のグランドレベルよりも高いレベルで盛土された支持層と、
前記支持層よりも上層に設けられ、前記内側領域の周縁部が前記基礎部に向かって下り傾斜するように砂利を敷き詰めた砂利層と、
前記砂利層の上面を覆うように敷き詰められたシートと、
前記基礎部の天端に前記内側領域の外周を閉じるように配置された土台部と、
前記シートを敷き詰めた前記砂利層の上面から前記土台部の上端レベルまで打設されたコンクリート層と、を備え、
前記土台部は、材質としてヒノキ又はヒバが用いられていることを特徴とする建築物の基礎構造。
【請求項２】
請求項１に記載の建築物の基礎構造において、
前記内側領域を複数の区域に分けるように、前記土台部の側面に一端が当接固定され、かつ前記土台部とともに天端レベルが水平面に一致するように配置されたフラット治具を、さらに備え、
前記砂利層は、その上面には前記フラット治具に沿って溝が形成され、
前記コンクリート層は、前記フラット治具の天端が露出するように打設されていることを特徴とする建築物の基礎構造。
【請求項３】
請求項１又は請求項２に記載の建築物の基礎構造において、
前記基礎部の内部に埋設され、基礎立ち上がり方向から前記内側領域に向かって折れ曲がる差し筋部材と、
前記差し筋部材の先端部分に結束され、水平面を有するように格子状に組まれて前記コンクリート層に埋設されたスラブ材と、をさらに備えることを特徴とする建築物の基礎構造。
【請求項４】
請求項２を引用する請求項３に記載の建築物の基礎構造において、
前記スラブ材は、前記フラット治具を迂回交差して前記コンクリート層に埋設されていることを特徴とする建築物の基礎構造。
【請求項５】
請求項３又は請求項４に記載の建築物の基礎構造において、
前記コンクリート層には、温水を循環させるパイプ材が、前記スラブ材の水平面に結束された状態で共に埋設されていることを特徴とする建築物の基礎構造。
【考案の詳細な説明】
【技術分野】
【０００１】
本考案は、防蟻性に優れる建築物の基礎構造に関する。
【背景技術】
【０００２】
木材で構成される建築物をシロアリの食害から守るための技術開発が進められている。
シロアリは、湿潤状態の環境を好み、木材の主成分であるセルロースを食して繁殖する。湿潤状態の環境下で建築物はシロアリの食害を受けやすく、また乾燥した環境であっても、シロアリは蟻道を形成して水分を運搬し蓄積して、自らの生育に適した湿潤環境を形成することもある。
【０００３】
シロアリは、基礎の内側の床下空間に形成される湿潤環境を踏み台にして家屋に侵入することが多い。このため、建物の基礎で囲まれた内側に砂利を充填し、そのような床下空間を形成しないシロアリ侵入防止策が知られている（例えば、特許文献１）。
一方において、例えばヒノキ、ケヤキ、又はヒバ等、シロアリに耐性を有する木材を用いて建築物を形成することも行われている。
【先行技術文献】
【特許文献】
【０００４】
【特許文献１】特許第３３３１４６６号公報
【考案の概要】
【考案が解決しようとする課題】
【０００５】
しかし、基礎の内側の床下空間が存在し無いとしても、基礎の外側に常時日陰となっている部分があれば、基礎立ち上がり部の外側からシロアリが這い上がって建物に侵入する可能性がある。
シロアリの建築物内への侵入を許したとしても、シロアリに耐性を有する木材を用いて建築物が形成されていれば、食害は進行しない。しかしそのような木材は、一般に希少材であり高価であることから、コスト面から大量に使用できないという課題がある。
【０００６】
本考案はこのような事情を考慮してなされたもので、コストを抑えつつ、木材で建設される建築物をシロアリの食害から守ることができる建築物の基礎構造を提供することを目的とする。
【課題を解決するための手段】
【０００７】
本考案に係る建築物の基礎構造は、コンクリート打設され地面から建築物を支える基礎部と、前記基礎部により外周が閉じられた内側領域にその外側のグランドレベルよりも高いレベルで盛土された支持層と、前記支持層よりも上層に設けられ前記内側領域の周縁部が前記基礎部に向かって下り傾斜するように砂利を敷き詰めた砂利層と、前記砂利層の上面を覆うように敷き詰められたシートと、前記基礎部の天端に前記内側領域の外周を閉じるように配置された土台部と、前記シートを敷き詰めた前記砂利層の上面から前記土台部の上端レベルまで打設されたコンクリート層と、を備え、前記土台部は、材質としてヒノキ又はヒバが用いられていることを特徴とする。
【考案の効果】
【０００８】
本考案により、コストを抑えつつ、木材で建設される建築物をシロアリの食害から守ることができる建築物の基礎構造が提供される。
【図面の簡単な説明】
【０００９】
【図１】（Ａ）（Ｂ）（Ｃ）本考案の実施形態に係る建築物の基礎構造の施工工程を説明する断面図。
【図２】（Ａ）（Ｂ）（Ｃ）本考案の実施形態に係る建築物の基礎構造の施工工程を説明する断面図。
【図３】（Ａ）（Ｂ）本考案の実施形態に係る建築物の基礎構造の施工工程を説明する平面図。
【図４】（Ａ）（Ｂ）本考案の実施形態に係る建築物の基礎構造の施工工程を説明する平面図。
【図５】本考案の実施形態におけるフラット冶具の取り付け方法の説明図。
【考案を実施するための形態】
【００１０】
以下、本考案の実施形態を添付図面に基づいて説明する。
図１（Ａ）に示すように、本考案に係る建築物の基礎構造は、地面から建築物を支える基礎部１０をコンクリート打設する（適宜、図３（Ａ）参照）。
なおこの基礎部１０の内部には、差し筋部材１１が予め埋設されている。この差し筋部材１１は、コンクリート打設の段階で基礎立ち上がり方向に沿って配置されている。
そしてこの差し筋部材１１は、このコンクリートが固化したいずれかの段階で、この基礎部１０により外周が閉じられた内側領域１２に向かって折れ曲げられる（図２（Ａ）参照）。
【００１１】
次に図１（Ｂ）に示すように、基礎部１０により外周が閉じられた内側領域１２に、その外側のグランドレベルＧよりも高いレベルで支持層１５が盛土される。
そして図１（Ｃ）に示すように、支持層１５よりも上層に、砂利を敷き詰めた砂利層１６を設ける。この砂利層１６は、上面が略水平に形成され、内側領域の周縁部１７が基礎部１０に向かって下り傾斜するように形成されている。
【００１２】
さらにこの砂利層１６には、後工程（図２（Ａ）参照）でフラット治具２３が配置される予定位置の下方に、溝２７が形成される。この溝２７は、断面形状が台形のものを例示しているが、特に限定はなくその断面形状として断面正方形、長方形、逆三角形、半円形など適宜選択することができる。
【００１３】
砂利層１６に敷き詰められる砂利としては、直径２〜５ｃｍ程度の石や、小石に砂が混ざったものが用いられる。そのような砂利として、天然岩石を破砕機等で人工的に小さく砕いた砕石や、天然砂利、再生石材等を用いることができる。
再生石材としては、焼却残渣を加工再生してなるものや、建築構造物を解体したときなどに発生するコンクリート塊やアスファルト塊を破砕したものや、樹脂類、硝子類、陶磁器類、ゴム類などの単独又は混合物を採用することができる。
【００１４】
次に図２（Ａ）に示すように、砂利層１６の上面を覆うようにシート１８を敷き詰める。なおこのシート１８は、基礎部１０にかからないようする。さらに、差し筋部材１１を内側領域１２に向かって折れ曲げる。
【００１５】
シート１８としては、厚さ０．１ｍｍ程度のポリエチレンフィルムが好適に用いられる。このシート１８の目的は、後の工程（図２（Ｃ）参照）で、固化前のコンクリート層３５の水分が砂利層１６の内部に進入することを防止して、このコンクリート層３５の水分量を適正に保持し良質のコンクリート層３５を形成することにある。
そのような目的に叶うシート１８であれば、厚さ０．１ｍｍ程度のポリエチレンフィルムに限定することなく、厚さや材質を適宜選択することができる。
【００１６】
次に、基礎部１０の天端に、内側領域１２の外周を閉じるよう土台部２１を配置する（適宜、図３（Ｂ）参照）。この土台部２１は、予め基礎部１０に埋設しておいたアンカーボルト（図示略）に、この土台部２１に穿設された透孔を貫通させて、ナット緊結して基礎部１０に一体的に固定される。
【００１７】
この土台部２１は、材質としてヒノキ又はヒバ等の芯持ち材又は心材といった防蟻性、耐朽性に優れるものが用いられる。
一般に、樹木の輪切り断面は、中央部の色の濃い褐色の心材と樹皮に近い外側の色の淡い辺材とで区別される。この辺材は、細胞が増殖したり樹液吸収のための導管が通っていたりして成長を担う部分であるため栄養素が高く腐りやすくシロアリの食害にもあいやすい。一方で心材は、樹木の成長とともに辺材の外側に次々と導管が生成していく過程で、役割を終えた中心側の導管は充填されて、腐食や食害に抵抗力を有するフェノール類等を含み、中心に近い辺材が順番に変化していったものである。ヒノキ又はヒバは、そのような腐食や食害に抵抗力を有する化学物質を多く含むものである。
【００１８】
フラット治具２３は、図４（Ａ）に示すように、内側領域１２を複数の区域２５に分けるように、土台部２１の側面に一端が当接固定されている。なおこのフラット治具２３は、土台部２１とともに天端レベルが水平面に一致するように配置されている（図２参照）。これらフラット治具２３は、両端が土台部２１の側面に両端が当接しているものもあれば、土台部２１の側面とその他のフラット治具２３の側面にそれぞれの一端が当接しているものもある。さらにフラット治具２３の側面に両端が当接しているものもある。
【００１９】
図５に示すように、フラット治具２３の一端が当接する位置には、固定部材２６が設けられている。このようにフラット治具２３は、その両端が、土台部２１の側面又はその他のフラット治具２３の側面に当接して固定されている。
このフラット治具２３の下面は、部分的に基礎部１０の天端に支持されているものもあれば、無支持状態のものもある。
【００２０】
そのような無支持状態にあるフラット治具２３に対向する砂利層１６の上面には、このフラット治具２３に沿って溝２７が形成されている（図２（Ａ）参照）。
なお、実施形態においてフラット治具２３として、上フランジ、下フランジ及びこれらを連結するウエブからなるＨ型鋼を採用している。
【００２１】
しかし、そのようなＨ型鋼に限定されることなく、土台部２１とともに天端レベルが水平面に一致するように配置することができるものであればフラット治具２３として適宜採用される。また、基礎部１０の天端に配置される土台部２１により外周が閉じられた領域が十分に狭い場合は、このフラット治具２３を設けない場合もある。
【００２２】
基礎部１０の天端に支持されるフラット治具２３の部分には、予め基礎部１０に埋設しておいたアンカーボルト（図示略）を貫通させナット緊結するための透孔が穿設されている。さらに、建築物の柱を立設させるフラット治具２３の予定位置には、固定治具を取り付けるための貫通孔が穿設されている。
【００２３】
次に図２（Ｂ）に示すように、基礎立ち上がり方向から内側領域１２に向かって折れ曲がる差し筋部材１１の先端に、スラブ材３１を結束する。このスラブ材３１は、水平面を有するように格子状に組まれたものである。そのようなスラブ材３１として、市販されている金網を採用してもよい。
【００２４】
このスラブ材３１は、この後の工程で打設されるコンクリート層３５の割れ防止の補強材として機能するとともに、パイプ材３３の固定部材としても機能する（図４（Ｂ）参照）。
またこのスラブ材３１は、フラット治具２３が横切る箇所において、その下側の溝２７において迂回交差するように設けられている。なお、土台部２１により外周が閉じられた領域が十分に狭い場合や、コンクリート層３５の割れ防止が他に対策されている場合は、このスラブ材３１を設けない場合もある。
【００２５】
次に図２（Ｃ）に示すように、シート１８を敷き詰めた砂利層１６の上面から土台部２１及びフラット治具２３の上端レベルまでコンクリート層３５を打設する。
このコンクリート層３５は、土台部２１及びフラット治具２３の天端が露出するように打設されている。
【００２６】
このコンクリート層３５には、スラブ材３１やこのスラブ材３１の水平面に結束されたパイプ材３３（図４（Ｂ））も埋設される。この埋設されたパイプ材３３には温水が循環され、寒いときでもコンクリート層３５の上面を適温にする床暖房システムを構成する。なお、そのような床暖房システムを設ける必要がない場合は、コンクリート層３５にパイプ材３３は埋設されない。
【００２７】
このコンクリート層３５の表面の面出しについては、直線を有する棒又は板（図示略）の両端を、土台部２１又はフラット治具２３の天端にすべらせながら移動し、未固化状態のコンクリート層３５の上面を削り、水平均一に均す。このコンクリート層３５の表面の面出し作業は、フラット治具２３により内側領域１２を複数に分けた区域２５（図４参照）を単位として実施される。
コンクリート層３５が固化したところで、土台部２１又はフラット治具２３の天端に建築物の柱（図示略）が立設される。
【００２８】
以上述べた少なくともひとつの実施形態の建築物の基礎構造によれば、基礎部により閉じられた内側領域に空間が存在しないため床下からのシロアリの侵入路が完全に遮断されており、さらに外側からの侵入路もこの内側領域の外周を閉じるように防蟻性の高いヒノキ又はヒバの土台部が基礎部の天端に配置され遮断されているために、木材で建設される建築物をシロアリの食害から低コストで守ることが可能となる。
【符号の説明】
【００２９】
１０…基礎部、１１…差し筋部材、１２…内側領域、１５…支持層、１６…砂利層、１７…周縁部、１８…シート、２１…土台部、２３…フラット治具、２５…区域、２６…固定部材、２７…溝、３１…スラブ材、３２…コンクリート層、３３…パイプ材。
【図１】
0003214494.tif 000003
【図２】
0003214494.tif 000004
【図３】
0003214494.tif 000005
【図４】
0003214494.tif 000006
【図５】
0003214494.tif 000007